(57)【要約】      （修正有）【課題】いろいろな場所で、ある程度の重さの物品を展示する事ができる屈伸アームスタンドを提供する。【解決手段】屈伸アームスタンドのアーム３とアーム４に複数の引っ掛け部１０を設け、継ぎ手側引っ掛け部１１から、バネ６の一端のフック７を引っ掛け、取っ手９を設けた他端のフック８を引っ張って、複数の引っ掛け部１０のいずれかの一つに引っ掛け、物品を載せる受け部２１に、ある程度の物品の重さに対応させるために、バネ６の長さを変えられるようにする。また、受け部２１をジョイント部２３から受け部ツマミ２２で外す等して、いろいろな形の受け部２１を交換したり、支柱２を台座１に入れる等して、いろいろな形の台座１を自分で簡単に交換したりできる。【選択図】図１
2009189756.tif 000002
【特許請求の範囲】
【請求項１】
電気スタンドのような屈伸アームスタンドにおいて、図１のように、アーム１（３）とアーム２（４）に、複数の引っ掛け部（１０）を設け、継ぎ手側引っ掛け部（１１）から、バネ（４）の一端のフック（７）を引っ掛け、取っ手（９）を設けた他端のフック（８）を引っ張って、複数の引っ掛け部のいずれかの一つに引っ掛け、物品を載せる受け部（２１）に、ある程度の物品の重さに対応させるために、バネの長さを変えられるようにする屈伸アームスタンド。
【請求項２】
「請求項１」において、受け部（２１）を、アーム２（４）に取り付ける時、ジョイント部（２３）から、受け部のツマミ（２２）を外す等して、自分で簡単に、図２のような、いろいろな受け部と交換できるもの。
【請求項３】
「請求項１」において、支柱（２）を、台座（１）に取り付ける時、台座に支柱を入れる等して、自分で簡単に、図３のような、いろいろな台座と交換できるもの。
【発明の詳細な説明】
【技術分野】
【０００１】  電気スタンドのような屈伸アームスタンドで、アームの先端に、ある程度の重さに対応させるため、バネを使用し長さを可変する構造に関するものである。
【背景技術】
【０００２】  電気スタンドの屈伸アームスタンドのバネの長さは固定されていた。（別紙添付参照）
【発明の開示】
【発明が解決しようとする課題】
【０００３】
【０００４】  従来の屈伸アームスタンドの先端は固定し、いろいろな重さや形に対応していなかった。【０００５】  従来の屈伸アームスタンドに、少し重い物品に対し、強いバネを固定して使用すると、動きが渋くなめらかに動かなかった。【０００６】  そのため、屈伸アームスタンドの先端の重さに合わせ、そのつど、バネの長さを可変すればよい。
【課題を解決するための手段】
【０００７】  上記の課題を解決するために、屈伸アームスタンドの、アーム１（３）とアーム２（４）に、複数の引っ掛け部（１０）を設け、継ぎ手側引っ掛け部（１１）から、バネ（６）の一端のフック（７）を引っ掛け、取っ手（９）を設けた他端のフック（８）の取っ手を引っ張って、複数の引っ掛け部のいずれかの一つに引っ掛け、物品を載せる受け部（２１）に、ある程度の物品の重さに対応させるために、バネの長さを変えられるようにする。【０００８】  また、受け部（２１）をジョイント部（２３）から、受け部ツマミ（２２）を外す等して、図２のような、いろいろな形の受け部を交換したり、支柱（２）を台座（１）に入れる等して、図３のような、いろいろな形の台座を自分で簡単に交換したりできる。
【発明の効果】
【０００９】  この考案により、いろいろな場所で、ある程度の重さの物品を展示する事ができる。【００１０】  この考案により、受け部の重さがある程度変わる作業の時は、別のアームスタンドを用意しなくてもよい。【００１１】  バネが疲労してきた時に、バネを交換しやすい。
【発明を実施するための最良の形態】
【００１２】  最良の形態として、屈伸アームスタンドの、アーム１（３）とアーム２（４）に、複数の引っ掛け部（１０）を設け、継ぎ手側引っ掛け部（１１）から、バネ（６）の一端のフック（７）を引っ掛け、取っ手（９）を設けた他端のフック（８）の取っ手を引っ張って、複数の引っ掛け部のいずれかの一つに引っ掛け、物品を載せる受け部（２１）に、ある程度の物品の重さに対応させるために、バネの長さを変えられるようにする屈伸アームスタンド。
【実施例】
【００１３】  そのほかに、バネの長さを変える方法の例として、たとえば、アーム２を例にあげれば、図６のように、アーム２（４）に複数の穴状の引っ掛け部（１０）を設け、継ぎ手側引っ掛け部（１１）から、バネ（６）の一端のフック（７）を引っ掛け、他の端をボタン型のフックをバネと固着して、引っ掛けフック（１２）にし、穴状の引っ掛け部（１０）のいずれかの一つに引っ掛け、バネの長さを段階的に変えるようにしてもよい。【００１４】  図７のように、アーム２（４）に引っ掛け部（１０）や止め具（１４）を設けた枠（１３）を設け、継ぎ手側引っ掛け部（１１）から、バネ（６）の一端のフック（７）を引っ掛け、他の端を、アームをスライドする枠の引っ掛け部に引っ掛けて又は固定し、バネの長さを無段階に変えるようにしてもよい。【００１５】  図８のように、アーム２（４）に溝（１６）を設け、継ぎ手側引っ掛け部（１１）から、バネ（６）の一端のフック（７）を引っ掛け、他端のフック（８）をアームの溝に埋め込んだ引っ掛け部レバー（１５）に引っ掛け、引っ掛け部レバーをスライドさせ、引っ掛け部（１０）のいずれかの一つに倒して引っ掛け、バネの長さを段階的に変えるようにしてもよい。【００１６】  図９のように、アーム２（４）に複数の穴状の引っ掛け部（１０）を設け、継ぎ手側引っ掛け部（１１）から、バネ（６）の一端のフック（７）を引っ掛け、他端のフック（８）に取っ手（９）付けたカギ状にし、穴状の引っ掛け部（１０）のいずれかの一つに引っ掛け、バネの長さを段階的に変えるようにしてもよい。【００１７】  要するに、継ぎ手側引っ掛け部（１１）からバネ（６）の長さを変え、アーム１（３）やアーム２（４）のどこかに止めるようにすればよい。そして、受け部（２１）や台座（１）を簡単に交換できるようにする。【００１８】  図５から図９まで、アーム２の部分の図であるが、アーム１（３）でも同じである。【００１９】  そのために、図４のように、バネ（６）の延長に一端のフック（７）や他端のフック（８）を設け、そのまた延長をバネの取っ手（９）にしてもよい。【００２０】  継ぎ手側引っ掛け部にバネの一端のフックを固着してもよい。【００２１】  バネを逆に取り付けてもよい。【００２２】  継ぎ手側引っ掛け部や引っ掛け部の取り付け場所は、上側や下側、側面、どこでもよい。【００２３】  バネのフックの両端を固着しない事で、受け部に載せる物品の重さに応じて、さらに、強弱の違う別のバネを交換する事ができる。【００２４】  屈伸アームスタンドにおいて、バネの変わりに適度な強さのゴム等でもよい。
【産業上の利用可能性】
【００２５】  この考案により、図２のような受け部を交換しながら、おもちゃ、ケータイ、カメラ、瀬戸物、帽子、Ｔシャツ、くだもの。アクセサリ等ある程度の重さや形の違う小物の商品が展示できる。【００２６】  この考案により、図３のような台座を、クランプやクリップ、円筒台座、棒状スタンド等を使用する事によって、ベッドや車椅子にも取り付けられるし、原稿ホルダーや資料台、案内台などにも利用できる。【００２７】  この考案により、図１２のように、受け部を透明なプラスチックにして、新聞、文庫本、週刊誌、辞典等、ある程度の重さの本を伏せて載せると、下から仰向けで本を読む事ができる。これにより、病院、介護施設、ホテル、自室等で利用できる。
【図面の簡単な説明】
【００２８】
【図１】屈伸アームスタンドの全体の側面図である。
【図２】３種類の受け部の斜視図である。
【図３】４種類の台座の側面図である。
【図４】バネを延長し、フックを設け、さらに延長しバネの端にカバーを付けて、取っ手にした側面図である。
【図５】図１のアーム２を拡大した部分斜視図である。
【図６】屈伸アームスタンドのアーム２に、バネと引っ掛けフック（１２）を固着し引っ掛け部に、引っ掛けてある例の部分斜視図である。
【図７】屈伸アームスタンドのアーム２に、引っ掛け部や止め具（１４）を設けたスライドする枠（１３）を設け、バネの他端のフックを引っ掛けてある例の部分斜視図である。
【図８】屈伸アームスタンドのアーム２に、溝（１６）を設け、バネの他端のフックを引っ掛け部レバー（１５）に引っ掛けてある例の部分斜視図である。
【図９】屈伸アームスタンドの円筒形のアーム２に、複数の穴状の引っ掛け部を設け、バネの他端のフックをカギ状にし、引っ掛けてある例の部分斜視図である。
【図１０】台座に円筒形台座を用い受け部にアクリル台を使用し、バックを載せたイメージ図である。
【図１１】台座に棒状スタンドを用い受け部に長いクランプを使用し、ポスター等を下げたイメージ図である。
【図１２】台座にクランプを用い受け部に透明なプラスチックを使用し、本を伏せて載せ、仰向けに見ているイメージ図である。
【図１３】受け部のツマミをアーム２に取り付け、ジョイント部にハンガーを掛けシャツを下げたイメージ図である。
【符号の説明】
【００２８】１  台座
２  支柱
３  アーム１
４  アーム２
６  バネ
７  一端のフック
８  他端のフック
９  取っ手
１０  引っ掛け部
１１  継ぎ手側引っ掛け部
１２  引っ掛けフック
１３  枠
１４  止め具
１５  引っ掛け部レバー
１６  溝
２１  受け部
２２  受け部のツマミ
２３  ジョイント部
【図１】
2009189756.tif 000003
【図２】
2009189756.tif 000004
【図３】
2009189756.tif 000005
【図４】
2009189756.tif 000006
【図５】
2009189756.tif 000007
【図６】
2009189756.tif 000008
【図７】
2009189756.tif 000009
【図８】
2009189756.tif 000010
【図９】
2009189756.tif 000011
【図１０】
2009189756.tif 000012
【図１１】
2009189756.tif 000013
【図１２】
2009189756.tif 000014
【図１３】
2009189756.tif 000015